(57)【特許請求の範囲】
【請求項１】
レンズを保持して周囲に雄ネジが刻まれた筒状のレンズ鏡枠と、雌ネジが刻まれて前記レンズ鏡枠を螺入して連結されるレンズホルダと、当該レンズホルダが組み付けられると共に、前記レンズホルダ内となる部位に撮像素子が搭載されたカメラ基板とを有するカメラモジュールであって、
前記レンズホルダ先端に配置されて、前記レンズ鏡枠を前記レンズホルダに螺入してフォーカス調整された状態では両者に挟持されて圧縮されるＯリングと、
前記圧縮された前記Ｏリングの周囲に当接して前記Ｏリングに側圧を加える環状のＯリング抑え部を具備したカメラ支持手段とを備え、
前記レンズ鏡枠と前記レンズホルダと前記カメラ支持手段との３者で圧縮された前記Ｏリングの弾性力で、前記レンズ鏡枠の回転が阻止されてフォーカスが固定されることを特徴とするカメラモジュール。
【請求項２】
前記レンズホルダは、照度センサ装着部を備えたレンズ支持部材に一体に形成されてなることを特徴とする請求項１記載のカメラモジュール。
【請求項３】
前記レンズ鏡枠は、前記雄ネジを形成した螺入部の基部に前記Ｏリングを保持する保持溝を有し、
前記レンズホルダに連結することで、前記保持溝に装着した前記Ｏリングが前記レンズホルダの先端に配置されることを特徴とする請求項１又は２記載のカメラモジュール。
【請求項４】
居住者を呼び出す機能に加えて訪問者を撮像するためのカメラを備えたカメラ付玄関子機であって、
前記カメラは請求項１乃至３の何れかに記載のカメラモジュールを備え、当該カメラモジュールの前記カメラ支持手段には、前記カメラのチルト操作を可能とする回動軸が設けられてなることを特徴とするカメラ付玄関子機。
【発明の詳細な説明】
【技術分野】
【０００１】
本発明は、インターホン機器で使用するカメラモジュール及びカメラ付玄関子機に関し、詳しくはカメラモジュールのフォーカス固定構造に関する。
【背景技術】
【０００２】
玄関子機にカメラを設けて来訪者映像を居室親機に表示させ、呼出時に或いは通話時に居住者が来訪者を映像で確認できるテレビドアホンと称されるインターホン装置が普及している。このインターホン装置で玄関に設置されるカメラ付玄関子機は、組み立て工程においてフォーカスを調整したカメラモジュールのレンズにズレが発生しないようにフォーカスの固定処理が成される。
例えば、特許文献１では、フォーカス調整後レンズ外周面に弾性を有するリングを圧接してロックした。
【先行技術文献】
【特許文献】
【０００３】
【特許文献１】特開２００９−４７８７２号公報
【発明の概要】
【発明が解決しようとする課題】
【０００４】
しかし、上記フォーカス調整したレンズがズレないように固定する構造は、調整する際大きなトルクが必要なため、振動や衝撃によっては、ネジ部が緩みピンぼけになる恐れがあった。
また、他の固定方式としては接着固定方式、虫ねじ固定方式があるが、接着固定方式は未硬化の接着剤が発生するアウターガスの影響により、レンズを白濁させることがあったし、接着剤を使用する形態では接着剤が完全に硬化するまで次工程に進めることができなかった。また、一旦誤った位置にて硬化してしまうと、元に戻せなくなる問題があった。
一方、虫ネジ固定方式は、虫ネジ螺入構造を設けることによるコストアップの問題、固定する際に鏡枠が虫ネジに押されてレンズがイメージセンサに対して偏芯する問題、更にはカメラモジュールの小型化には不向きな問題があった。
【０００５】
そこで、本発明はこのような問題点に鑑み、フォーカス調整したレンズの固定を簡易な構造で実施でき、且つ小型化に適したフォーカス固定構造を備えたカメラモジュール及びカメラ付玄関子機を提供することを目的としている。
【課題を解決するための手段】
【０００６】
上記課題を解決する為に、請求項１の発明は、レンズを保持して周囲に雄ネジが刻まれた筒状のレンズ鏡枠と、雌ネジが刻まれて前記レンズ鏡枠を螺入して連結されるレンズホルダと、当該レンズホルダが組み付けられると共に、前記レンズホルダ内となる部位に撮像素子が搭載されたカメラ基板とを有するカメラモジュールであって、前記レンズホルダ先端に配置されて、前記レンズ鏡枠を前記レンズホルダに螺入してフォーカス調整された状態では両者に挟持されて圧縮されるＯリングと、前記圧縮された前記Ｏリングの周囲に当接して前記Ｏリングに側圧を加える環状のＯリング抑え部を具備したカメラ支持手段とを備え、前記レンズ鏡枠と前記レンズホルダと前記カメラ支持手段との３者で圧縮されたＯリングの弾性力で、前記レンズ鏡枠の回転が阻止されてフォーカスが固定されることを特徴とする。
この構成によれば、フォーカス調整した状態でＯリングが圧縮されるため、その際発生する圧接力でフォーカス調整した状態が保持されるし、更にカメラ支持手段のＯリング抑え部がＯリングを周囲から押圧することで、安定してフォーカス調整した状態が保持される。よって、ネジ等を使用しない簡易な構造でフォーカス固定でき、狭い空間であっても容易なレンズ固定が可能となり、カメラモジュールの小型化が容易となる。  
また、Ｏリングの弾性作用により外部からの衝撃を吸収でき、衝撃に対して強い構造となるし、レンズ鏡枠を基準にレンズホルダ、Ｏリング、更にはカメラ支持手段まで位置決めされるので、各部品の位置決めをレンズ鏡枠を中心に実施でき、各パーツのセンター出しがし易い。特に広角レンズを使用した場合でも、レンズ画角内で発生する偏心バラツキを小さくでき、筐体の映り込みを防止できる。
【０００７】
請求項２の発明は、請求項１に記載の構成において、レンズホルダは、照度センサ装着部を備えたレンズ支持部材に一体に形成されてなることを特徴とする。
この構成によれば、レンズホルダと照度センサとが一体に形成されるため、照度センサを取り付ける部材を別途設ける必要がなく、部材を削減できる。
【０００８】
請求項３の発明は、請求項１又は２に記載の構成において、レンズ鏡枠は、雄ネジを形成した螺入部の基部にＯリングを保持する保持溝を有し、レンズホルダに連結することで、保持溝に装着したＯリングがレンズホルダの先端に配置されることを特徴とする。
この構成によれば、Ｏリングはレンズ鏡枠の保持溝に保持されるため、装着したＯリングの位置ズレを防止でき、レンズホルダとの連結作業がし易い。
【０００９】
請求項４の発明は、居住者を呼び出す機能に加えて訪問者を撮像するためのカメラを備えたカメラ付玄関子機であって、カメラは請求項１乃至３の何れかに記載のカメラモジュールを備え、当該カメラモジュールのカメラ支持手段には、カメラのチルト操作を可能とする回動軸が設けられてなることを特徴とする。
この構成によれば、チルト操作して訪問者を確認し易い角度にカメラを調整できるし、別途回転軸を接続する必要が無く、チルト部材を削減できる。
【発明の効果】
【００１０】
本発明によれば、フォーカス調整した状態でＯリングが圧縮されるため、その際発生する圧接力でフォーカス調整した状態が保持されるし、更にカメラ支持手段のＯリング抑え部がＯリングを周囲から押圧することで、更に安定してフォーカス調整した状態が保持される。よって、ネジ等を使用しない簡易な構造でフォーカス固定でき、狭い空間であっても容易に固定できカメラモジュールの小型化が容易となる。  
また、Ｏリングの弾性作用により外部からの衝撃を吸収でき、衝撃に対して強い構造となるし、レンズ鏡枠を基準にレンズホルダ、Ｏリング、更にはカメラ支持手段まで位置決めされるので、各部品の位置決めをレンズ鏡枠を中心に実施でき、各パーツのセンター出しがし易い。特に広角レンズを使用した場合でも、レンズ画角内で発生する偏心バラツキを小さくでき、筐体の映り込みを防止ができる。
【図面の簡単な説明】
【００１１】
【図１】本発明に係るカメラモジュールの一例を示す説明図であり、レンズ鏡枠とレンズ支持部材を示し、（ａ）は側面図、（ｂ）は縦断面図、（ｃ）は斜視図である。
【図２】図１のカメラモジュールにセンサカバーを取り付けた説明図であり、（ａ）は側面図、（ｂ）は縦断面図、（ｃ）は斜視図である。
【図３】図２のセンサカバーの上からカメラカバーを取り付けた説明図であり、（ａ）は側面図、（ｂ）は縦断面図、（ｃ）は斜視図である。
【図４】カメラ付玄関子機の正面図である。
【図５】Ａ−Ａ線断面図である。
【発明を実施するための形態】
【００１２】
以下、本発明を具体化した実施の形態を、図面を参照して詳細に説明する。図１〜３は本発明に係るカメラ付玄関子機のカメラモジュールの一例を示す説明図であり、図１はレンズ鏡枠をレンズホルダに取り付けた状態、図２はセンサカバーを装着した状態、図３は 図２のセンサカバーの上にカメラカバーを取り付けた状態を示し、それぞれ（ａ）は側面図、（ｂ）は縦断面図、（ｃ）は斜視図を示している。
図１〜３において、１はレンズ９等を収容したレンズ鏡枠、２はレンズ鏡枠１を収容固定するレンズホルダ２１を備えたレンズ支持部材、３は図示しない撮像素子や映像信号を生成する電子素子が組み付けられたカメラ基板、４はＯリング、５はセンサカバー、６はカメラ支持手段としてのカメラカバーである。
【００１３】
レンズ鏡枠１は、カメラの光学部品（レンズ９、絞り、ＩＲカットフィルタ等）を内蔵した筒体であり、レンズ９を収容した頭部のフランジ部１ａの後部の周囲に雄ねじが形成された螺入部１ｂを有している。また、Ｏリング４を装着するための保持溝１ｃがフランジ部１ａと螺入部１ｂとの間となる螺入部１ｂの基部に周設されている。
【００１４】
レンズ支持部材２は、カメラ基板３上に固定設置され、雌ねじが形成されてレンズ鏡枠１を螺入する筒状のレンズホルダ２１と、照度センサ１０が取り付けられる照度センサ装着部２２とを有している。
【００１５】
センサカバー５は、照度センサ１０前面に配置されて照度センサ１０を保護するための部材であり、透明な部材或いは透光性を有する部材で形成され、レンズ鏡枠１を挿通して突出させ、更にレンズホルダ２１に嵌合するレンズ挿通部５１と、照度センサ１０の前方を覆うドーム状のカバー部５２とを有している。
【００１６】
カメラカバー６は、センサカバー５から突出したレンズ鏡枠１を挿入して露出させるレンズ孔６１と、センサカバー５を覆う保護部６２と、照度センサ１０に光を透過させる孔からなるセンサ窓６３と、カメラモジュール全体を回動させてチルト動作させるための操作片６４及び回動軸６５とを有している。
このカメラカバー６にチルト操作を可能とする回動軸６５等を設けた構成は、カメラモジュールをインターホン装置のカメラ付玄関子機に適用する際に好ましい構成であり、カメラカバー６に回動軸６５及びチルト操作する操作片６４を設けることで、訪問者を確認し易い角度にカメラを調整できるし、別途回転軸を接続する必要が無く、チルト部材を削減できる。
【００１７】
またレンズ孔６１は、レンズ鏡枠１を収容する円筒部６１ａを有し、この円筒部６１ａの内底部がＯリング４の周囲に接触するよう形成され、円筒部６１ａがＯリング抑え部を構成している。具体的に円筒部６１ａは、径がレンズ鏡枠１の外周より大きく、Ｏリング４外径よりは小さく形成され、Ｏリング４に側圧が加わるよう構成されている。
【００１８】
上記の如く構成されたカメラモジュールは次のように組み立てられて、フォーカスが固定される。図１に示すように、Ｏリング４をレンズ鏡枠１の保持溝１ｃに嵌合して、レンズ鏡枠１をレンズ支持部材２のレンズホルダ２１に回転して挿入、即ち螺入し装着する。螺入を進めると、やがてカメラ基板３上に配置されている撮像素子に対してフォーカスが合った状態を得ることができ、フォーカス調整が実施される。このフォーカス調整は、別途図示しないモニタにカメラモジュールの撮像映像を表示させて行われ、映像で確認しながら行われる。
【００１９】
ここで、レンズ鏡枠１とレンズ支持部材２とは、合焦位置に近づくにつれてレンズ鏡枠１の頭部のフランジ部１ａと、レンズホルダ２１の先端面とでＯリング４が前後から挟まれ、合焦位置ではＯリング４が潰れて外周に広がるよう互いが設計されている。
そのため、合焦位置に近づくにつれて、Ｏリング４の圧縮作用により強い回転力が必要となり、レンズ鏡枠１とレンズ支持部材２との間で強い摩擦力が発生し、より細かなフォーカス調整が可能となるし緩み難くなる。
【００２０】
フォーカス調整が完了したら、センサカバー５の装着、更にカメラカバー６の装着が成される。図２に示すように、センサカバー５はレンズ挿通部５１にレンズ鏡枠１を挿通し、カバー部５２を照度センサ１０前方に位置合わせして装着する。こうして、センサカバー５はレンズ支持部材２のレンズホルダ２１により位置決めされるし、図示しない係合部がレンズ支持部材２の所定部位と係合して装着される。
【００２１】
カメラカバー６はセンサカバー５の上から装着され、図３（ｂ）に示すようにレンズ鏡枠１をレンズ孔６１に合致させ、センサ窓６３をカバー部５２に合致させることで位置決めされる。このとき、レンズ孔６１の円筒部６１ａにレンズ鏡枠１を収容するために押し込み操作が成され、図３（ｂ）に示すようにＯリング４も円筒部６１ａに収容される。
【００２２】
このように、フォーカス調整した状態でＯリング４が圧縮されるため、その際発生する圧接力でフォーカス調整した状態が保持されるし、更にカメラカバー６のＯリング抑え部である円筒部６１ａがＯリング４を周囲から押圧することで、安定してフォーカス調整した状態が保持される。よって、ネジ等を使用しない簡易な構造でフォーカス固定でき、狭い空間であっても容易なレンズ固定が可能となり、カメラモジュールの小型化が容易となる。  
また、Ｏリング４の弾性作用により外部からの衝撃を吸収でき、衝撃に対して強い構造となるし、レンズ鏡枠１を基準にレンズホルダ２１、Ｏリング４、更にはカメラカバー６まで位置決めされるので、各部品の位置決めをレンズ鏡枠１を中心に実施でき、各パーツのセンター出しがし易い。特に広角レンズを使用した場合でも、レンズ画角内で発生する偏心バラツキを小さくでき、筐体の映り込みを防止できる
更に、レンズ支持部材２に照度センサ１０が組み付けられるため、照度センサ１０の保護カバーを別途設ける必要がなく、部材を削減できる。
加えて、Ｏリング４はレンズ鏡枠１の保持溝１ｃに保持されるため、装着したＯリング４の位置ズレを防止でき、レンズ支持部材２との連結作業がし易いし、Ｏリング４により気密性が保たれるため、機器内部の高温多湿な空気がレンズ９の前面へ対流するのを防止でき、結露による画質の低下を防ぐことができる。
また、フォーカス調整時、Ｏリング４が潰れてテンションが発生するため、作業者は合焦位置が感覚的に分かり易い。
【００２３】
尚、上記実施形態では、レンズ支持部材２に照度センサ１０を組み付けているが、更に夜間照明のためのＬＥＤを組み付けても良い。また、センサカバー５とカメラカバー６を別体としているが、カメラカバー６自体透光性部材で作製すれば一体に形成することも可能である。
【００２４】
図４はカメラ付玄関子機の一例を示す正面図であり、１０１は居住者を呼び出すための呼出ボタン、１０２は通話するためのマイク組み込み部、１０３はスピーカ組み込み部、１０４は訪問者を撮像するためのカメラ組み込み部である。また、図５はＡ−Ａ線断面図であり、１０５がカメラモジュールであり、上記カメラモジュールが組み付けられている。
このように、カメラモジュール１０５に回動軸６５を設けてチルト機能を備えたことで、訪問者を確認し易い角度にカメラを調整できるし、別途回転軸を組み付ける必要が無く、チルト部材を削減できる。
【産業上の利用可能性】
【００２５】
上記実施形態では、インターホン装置のカメラ付玄関子機について説明したが、小型なカメラに使用するカメラモジュールとして幅広く適用でき、例えばドライブレコーダーやバックモニタ等の車載用カメラにも好適である。
【符号の説明】
【００２６】
１・・レンズ鏡枠、１ｂ・・螺入部、１ｃ・・保持溝、２・・レンズ支持部材、３・・カメラ基板、４・・Ｏリング、５・・センサカバー、６・・カメラカバー（カメラ支持手段）、１０・・照度センサ、２１・・レンズホルダ、６１ａ・・円筒部（Ｏリング抑え部）、６４・・操作部、６５・・回動軸、１０５・・カメラモジュール。
【図１】
0006670621.tif 000002
【図２】
0006670621.tif 000003
【図３】
0006670621.tif 000004
【図４】
0006670621.tif 000005
【図５】
0006670621.tif 000006